(57)【特許請求の範囲】
【請求項１】
プラスチックでなる多数の線状の横糸部と、これらの横糸部と一体に成形されてそれらの横糸部に交差するプラスチックでなる多数の線状の縦糸部とによって多数の開口が形作られたプラスチック製ネットであって、多数の上記横糸部のうち少なくとも１箇所の横糸部に鉄でなる帯状体又は延伸樹脂でなる帯状体である断面平形の補強芯材が平面的に内包されていることを特徴とする補強プラスチック製ネット。
【発明の詳細な説明】
【０００１】
【産業上の利用分野】
本発明は、家屋敷や公園広場等の囲い施設として、あるいは盛土補強材や土留め用シガラ材等に使用されるプラスチック製ネットに関する。
【０００２】
【従来の技術】
囲い施設に用いられるネットとしては、メッキ被覆やプラスチック被覆や焼付け塗装等を施した金属線材を菱目編みしたネット、鋼帯を菱目状に開きこれにメッキや塗装を施したエキスパンドメタル、鋼パイプを主材とする特開昭５５−２６３６２号公報等に記載されている格子型フェンス等が一般的に知られており、また、盛土補強材やシガラ材等に用いられるネットとしてプラスチックを一体成形した角目状の商品名「トリカルネット」や菱目状の商品面「ネトロンネット」、プラスチック系繊維の織布、不織布、有結編みネット等が知られており、また、それらのネットを製作する技術も従来より知られている。
【０００３】
【発明が解決しようとする課題】
しかしながら、上記線材や鋼材を主材料とするネットを用いた構造物（ネット構造物）は、錆び易いために編み工程や格子組み工程の他にメッキ、被覆、焼付け等の防錆処理工程を必要とし、また、主材料を鋼材とするために重く、運送あるいは施工等においての問題点が多くあった。
【０００４】
また、上記した「トリカルネット」や「ネトロンネット」等のネットはプラスチックの押出し工程だけで製造され、かつ軽量で扱い易いものではあるが、囲い施設、盛土補強材、シガラ材等の土木用に用いるには強度面での問題も残されており、プラスチック系繊維からなるネットにしても、近年高強度のプラスチック製繊維が開発されてはいるが、その製作面で紡糸工程の他に織り工程、編み工程等が必要であることから、製作効率面の問題も多く残されている。
【０００５】
そこで、本発明は、プラスチック製ネットでありながら、金属線材や鋼材を主材料とするネットと同じ用途に使うためプラスチック製ネットを補強し、かつ土木用途に用いるに必要な強度を要する補強プラスチック製ネットを提供することを目的とする。
【０００６】
【課題を解決するための手段】
請求項１に係る発明の補強プラスチック製ネットは、プラスチックでなる多数の線状の横糸部と、これらの横糸部と一体に成形されてそれらの横糸部に交差するプラスチックでなる多数の線状の縦糸部とによって多数の開口が形作られたプラスチック製ネットであって、多数の上記横糸部のうち少なくとも１箇所の横糸部に断面平形の補強芯材が平面的に内包されているというものである。
【０００７】
この構成においては、請求項２に係る発明のように、鉄でなる帯状体又は延伸樹脂でなる帯状体で補強芯材を形成することが可能である。
【０００８】
【作用】
請求項１及び請求項２に係る補強プラスチック製ネットは、補強芯材を内包した横糸部によって、ネットの横方向の張力が増大する。また、補強芯材に例え錆び易い金属（例えば鉄の帯状体）を用いたとしても、その補強芯材を包み込んでいるプラスチックでなる横糸部の防錆作用によって錆の進行が大幅に遅れることになる。更に、補強芯材を内包する横糸部はその引張強度が増大しているから、その横糸部をポストや杭等に強固に止着することができ、また、補強芯材の内包部をネット横糸部の端部とすればネット端部の余分な補強が不必要になる。そして、請求項２に係る発明のように補強芯材に帯状体がネット面と平面的に用いられていると、タッピングねじなどの止着具を補強芯材に貫通させてその横糸部同士を、また、その横糸部をポストや杭等に止着しやすい。ここで、平面的とは、断面平形の補強芯材の断面形状において、その長手方向がネットの縦方向に一致している形態を意味している。
【０００９】
また、請求項１及び請求項２に係る発明の補強プラスチック製ネットは、プラスチックを主材料としているため使用場所の状況に応じたバランスのよい着色が可能になる。
【００１０】
【実施例】
図１は本発明の実施例による補強プラスチック製ネットＡの一部を拡大した正面図、図２は図１のＩＩ−ＩＩ線に沿う断面図である。このプラスチック製ネットＡは、プラスチックでなる多数の線状の横糸部１と、これらの横糸部１と一体に成形されてそれらの横糸部１に交差するプラスチックでなる多数の線状の縦糸部２とによって多数の開口が形作られたプラスチック製ネットであり、多数の上記横糸部１のうち少なくとも１つの横糸部１に補強芯材３が内包されている。本発明の補強プラスチック製ネットには、ポリプロピレン（ＰＰ）、ポリエチレン（ＰＥ）、ポリ塩化ビニル（ＰＶＣ）、エチレンビニルアルコール（ＥＶＡ）、ポリカーボネート（ＰＣ）等の熱可塑性樹脂が好適に用いられる。
【００１１】
補強芯材３は断面平形の帯状体であって、鉄や延伸樹脂が好適に用いられる。そして、補強芯材３に延伸樹脂でなる帯状体を用いる場合には、その補強芯材３の引張弾性率を延伸することによって５ＧＰａより大きくしてあること、また、例えば補強芯材に延伸ＰＰバンドを用いる場合には、これより溶融温度の低いＥＶＡ等を用いるなど、延伸ＰＰバンドが熱の影響によるその物性面の低下を最低限に抑える配慮が望まれ、そのようにしたもの盛土補強材やシガラ材等の土木用として好適に用い得る。
【００１２】
なお、横糸部１と縦糸部２とは、図１のように直角格子を形作っていても、あるいは平行四辺形や略菱目格子を形作っていてもよい。即ち、横糸部１と縦糸部２との交差角度が直角に限定されない。しかし、横糸部１はその相互間は平行に延びていることが望ましい。
【００１３】
図３は長尺の上記補強プラスチック製ネットＡを用いて構築した囲い施設Ｂを示す概略正面図、図４は図３の囲い施設Ｂの一部を示す拡大断面図である。４は基礎５上に立設されたポストであって、所定の間隔を隔てた複数本のポスト４…の相互間に亘って上記ネットＡが張設されている。このネットＡにおいては、最上部と最下部と中央部の３箇所の横糸部１（縦方向最上端縁部の横糸部１）に補強芯材３が内包されている。そして、補強芯材３が内包されている横糸部１の適所が止着具６を用いてポスト４に固定されている。ポスト４や基礎５、止着具６等は既に一般的になっているものを使用することができ、また、これ等を使用した囲い施設Ｂは従来より数々ある公知の施工方法を設置状況に応じて十分に利用することができる。たとえば、ポスト４として木やプラスチック廃材で作られたものが用いられるときには、止着具６に一般的な釘やねじ釘を用いることができる。また、ポスト４として鋼やコンクリート等の固い材料で作られたものが用いられるときには、止着具６にセルフタッヒングねじを使用することができ、そのようにすることによって、極く簡単にネットＡの張付け作業を行うことができる。補強芯材３を内包した横糸部１とポスト４との固定箇所では、図４で判るように、補強芯材３を内包した横糸部１をポスト４にセルフタッピングねじでなる止着具６を打ち込んで（ねじ込んで）ある。止着具６として一般的な釘やねじ釘等のように金属製の補強芯材３に打ち込むことが困難なものを用いるときには、前もって補強芯材３に止着具６を挿通させるための孔を開設しておくとよい。なお、金属製の補強芯材３が薄い場合等には、一般的な釘やねじ釘等をそのまま打ち込むことも可能である。更に、ポストとして、本願出願人が特願平７−３５９３４号で提案している「フェンス用簡易ポスト」を用いれば、本発明の補強プラスチック製ネットの設置作業においてその弛み調整等が簡単にでき、その作業は非常に効率がよくかつ簡便なものとなる。
【００１４】
このようにしてポスト４に張設されたネットＡにおいては、横糸部１に内包されている補強芯材３によってネットＡ全体の横方向の張力が増大され、ネットＡの下方への垂れ下がりや弛み等が生じにくくなる。また、止着具６が補強芯材３を貫通していることにより、補強芯材３を内包した横糸部１がポスト４に強固に止着されるのみならず、止着具６によってポスト４に止着された横糸部１の止着箇所に亀裂や欠損が生じて横糸部１が止着具６から離脱するといった事態も生じない。そして、補強芯材３はプラスチックでなる横糸部１の防錆作用によって錆にくくなっているので、この補強芯材３が発錆により脆くなって破断するという事態も生じない。さらに、補強芯材３は横糸部１に内包されたものであるから外部からは見えず、しかも横糸部１がプラスチックでできているためにそれを着色することによって見栄えをよくすることも容易に可能である。
【００１５】
上記したような囲い施設Ｂにおいて、補強芯材３を内包させる横糸部１はその中の少なくとも上端部に１本であれば、その設置作業において十分な効果が発揮される。
【００１６】
図５にはネットＡをシガラ材Ｃとして用いた事例を概略的に示してある。７は法面Ｈの適所に打ち込まれた杭であり、上記ネットＡはこの杭７を用いて横に張設されている。杭７とネットＡとの固定は図４で説明したところに準じて行うことが可能である。また、図示しないが、ネットＡを盛土補強材に用いる場合は、その強度面を考慮して、横糸部すべてに補強芯材を内包することが望まれるが、このようなネットＡは縦横を一体化するに当たり、そのネットＡ相互の端部の補強部同士を上述したようなビス止めで連結すること等が可能であるから、簡単かつ強固に複数枚のネットＡ同士を縦横平行で平面的に一体化できるようになる。
【００１７】
図６に上記ネットＡを連続押出成形することのできる成形装置を概略的に示しすが、これら直角目のネットの成形方法についてはすでに出願人が特公平３−６４２９２号公報でその使用する装置を開示している。同図において、１１は通路１２から円筒状に溶融樹脂を押し出すことのできる機能を備えた固定ダイス、１３は固定ダイス１１内においてストロークＳで上下に振動して上記通路１２の出口１２ａを開閉するための振動ダイスであり、振動ダイス１３の周面下部の複数箇所に溝部１４が設けられている。そして、振動ダイス１３の複数の溝部１４…のうち、所定の溝部１４ａが上方に延出されていて、上記通路１２を貫通して設けられたニップルなどの筒体１５に対応している。
【００１８】
このような成形装置を用いて上記ネットＡを成形するときは、通路１２を通して溶融樹脂を給送し、その出口１２ａから溶融樹脂を押し出しつつ、所定のタイミングで振動ダイス１３を上下に振動させる。また、それと併行して、上記筒体１５を通して振動ダイス１３の所定の溝部１４ａに補強芯材３を送り込む。このようにすると、振動ダイス１３が下降して通路１２の出口１２ａを閉じているときは、溝部１４，１４ａだけから溶融樹脂が押し出され、そのときに所定の溝部１４ａから押し出される溶融樹脂が補強芯材３を被覆して内包する。この工程は横糸部１が成形される工程である。また、振動ダイス１３が上昇して通路１２の出口１２ａを開いているときは、その出口１２ａから溶融樹脂がリング状に保形されて押し出される。この工程は縦糸部２が成形される工程である。したがって、振動ダイス１３を所定のタイミングで上下に振動させることによって、そのタイミングに見合う間隔で縦糸部２が次々と成形される。
【００１９】
通路１２の出口１２ａから押し出されることにより成形された横糸部１のアセンブリと縦糸部２のアセンブリとでなるネットＡはその後に冷却硬化されて図７のにうな筒状ネットＡ’となる。この筒状ネットＡ’における２つの隣接する横糸部１，１の間で縦糸部２を破線のように切断して展開することにより平面的なネットＡが得られる。ネットＡの横糸部１の断面形状は図６で説明した振動ダイス１３の溝部１４，１４ａの溝形状に一致したものとなり、溝部１４，１４ａの形状を適切に選定することにより、図８に示した断面形状の横糸部１を有するネットＡを製造することができる。
【００２０】
図６では直角格子を持つネットＡの製造について説明したけれども、図９には、平行四辺形格子を持つネットＡを製造し得る成形機を原理的に示してある。図９において、２１は円筒状の回転ダイスで、その内面に樹脂通路となる溝部２２が設けられている。また、２３は回転ダイス２１の内周面に回転ダイス２１に対して密閉摺動可能に配備された固定ダイスであり、その外周面の複数箇所に樹脂通路となる溝部２４が設けられている。この成形機は、逆に円筒状のダイスを固定し、その内面に密閉摺動可能に回転ダイスを設けても原理的には問題はない。係る成形機において、押出機１台もしくは縦糸と横糸を分離する２台の押出機を用いて、その樹脂通路２２，２４の各出口から溶融樹脂を押し出しながら回転ダイス２１を矢符Ｒのように所定速度で回転させると、固定ダイス２３側の複数の溝部２４…から押し出される溶融樹脂によって横糸部が成形され、回転ダイス２１側の溝部２２から押し出される溶融樹脂が上記横糸部に螺旋状に巻き付いて縦糸部を形成する。したがって、固定ダイス２３側の複数の溝部２４…の少なくとも１つに補強芯材３を送り込めば、横糸部の少なくとも１本に補強芯材が内包された平行四辺形格子のネットが成形される。
【００２１】
【発明の効果】
本発明の補強プラスチック製ネットは、少なくとも１本の横糸部が断面平形の補強芯材を平面的に内包しているので、従来例として説明したプラスチックだけのネットに比べると、その重量をそれほど重くせずに大きな引張強度を具備させることができる。そのため、囲い施設、盛土補強材、シガラ材等に用いるときに、ポストの固定又はネット同士の連結固定が簡便化され、かつその固定強度を高め、ポストへの固定強度等を鋼製ネットと同等程度に高めることができ、同時に、垂れ下がりや弛みが生じにくくなるという効果がある。また、従来例として説明した鋼材を主材料とするネットに比べると、製造が簡単であり、しかも軽量で運送や施工等での取扱いが容易になるという利点がある。そして、従来例として説明したプラスチックだけのネットにおけると同様に着色が容易に可能であるので、囲い施設やシガラ材に用いたときの見栄えをよくすることも可能であるなど、幅広い用途に使用できることが最大のメリットとなる。
【図面の簡単な説明】
【図１】本発明の実施例によるネットの一部を拡大した正面図である。
【図２】図１のＩＩ−ＩＩ線に沿う断面図である。
【図３】長尺のネットを用いて構築した囲い施設を示す概略正面図である。
【図４】図３の囲い材の一部を示す拡大断面図である。
【図５】ネットをシガラ材として用いた事例の説明図である。
【図６】ネットを連続押出成形することのできる成形装置とその成形工程を説明するための概略断面図である。
【図７】図６の成形装置で成形される円筒状ネットの概略斜視図である。
【図８】ネットの要部を拡大した斜視図である。
【図９】ネットを連続押出成形することのできる他の成形装置を原理的に示した説明図である。
【符号の説明】
Ａ  ネット
１  横糸部
２  縦糸部
３  補強芯材
【図１】
0003592787.tif 000002
【図２】
0003592787.tif 000003
【図３】
0003592787.tif 000004
【図４】
0003592787.tif 000005
【図５】
0003592787.tif 000006
【図６】
0003592787.tif 000007
【図７】
0003592787.tif 000008
【図８】
0003592787.tif 000009
【図９】
0003592787.tif 000010